(57)【要約】【課題】  フロントドアとリアドアの双方が確実に閉じられた状態で動作するレーザプリンタ装置を提供する。【解決手段】  レーザプリンタ装置の内部には連接棒５が配設されている。フロントドア２の内側にはフロント側突出部２ａが設けられ、リアドア４の内側にはリア側突出部４ａが設けられている。連接棒５の一端側にはスイッチ７が配設されている。フロントドア２およびリアドア４の少なくともいずれかが開いている状態では、連接棒５は一端側から他端側に向かってバネ６によって付勢されて、フロント側突出部２ａは連接棒５の一端側に当接しない。フロントドア２およびリアドア４の双方が閉じられることによって、連接棒５が他端側から一端側に向かってスライドし、フロント側突出部２ａが連接棒５の一端側に当接してスイッチ７がオンする。【選択図】        図３
2006003551.tif 000002
【特許請求の範囲】
【請求項１】
用紙を収容するためのトレーおよび用紙に印字を行なうための印字ユニットを有するプリンタ本体と、
前記プリンタ本体の前面に設けられ、メンテナンスのためのフロントドアと、
前記フロントドアと対向するように前記プリンタ本体の後面に設けられ、前記トレーから排出される用紙を前記印字ユニットへ送り込むための送りガイドを有するリアドアと、
前記フロントドアと前記リアドアとの間に、前後にスライド可能に配設された連接棒と、
前記フロントドアから前記連接棒に向かって突出するように前記フロントドアに設けられ、前記連接棒の一端側と当接するフロント側突出部と、
前記リアドアから前記連接棒に向かって突出するように前記リアドアに設けられ、前記連接棒の他端側と当接するリア側突出部と、
前記連接棒の一端側に設けられ、前記連接棒の一端側に位置する前記フロント側突出部および前記リア側突出部の一方が当接することによってオンするスイッチと、
前記スイッチが設けられた前記連接棒の一端側から他端側に向かって前記連接棒に付勢力を与えるバネと
を備え、
前記連接棒および前記スイッチは、
前記フロントドアおよび前記リアドアの少なくともいずれかが開いている状態では、前記連接棒は前記連接棒の一端側から他端側に向かって付勢されて、前記フロント側突出部および前記リア側突出部の一方は前記連接棒の一端側に当接せず、
前記フロントドアおよび前記リアドアの双方が閉じられることによって、前記連接棒が前記連接棒の他端側から一端側に向かってスライドし、前記フロント側突出部および前記リア側突出部の一方が前記連接棒の一端側に当接して前記スイッチがオンするよう配設された、レーザプリンタ装置。
【請求項２】
プリンタ本体と、
前記プリンタ本体に設けられた第１ドアと、
前記プリンタ本体において前記第１ドアと対向する位置に設けられた第２ドアと、
前記第１ドアおよび前記第２ドアとの間に配設された連接部材と、
前記連接部材の端部、前記第１ドアおよび前記第２ドアのいずれか１つに設けられたスイッチと、
前記スイッチが設けられた側から前記スイッチが設けられていない側に向かって前記連接部材に付勢力を与える弾性体と
を備え、
前記連接部材および前記スイッチは、
前記第１ドアおよび前記第２ドアの少なくともいずれかが開いている状態では、前記連接部材は前記弾性体によって前記スイッチが設けられた側から前記スイッチが設けられていない側に向かって付勢されることで前記スイッチはオンせず、
前記第１ドアおよび前記第２ドアの双方が閉じられることによって前記連接部材が前記第１ドアおよび前記第２ドアと当接して前記スイッチがオンするように配設された、レーザプリンタ装置。
【請求項３】
前記第１ドアは前記プリンタ装置の前面側に配設され、前記第２ドアは前記プリンタ本体の後面側に配設された、請求項２記載のレーザプリンタ装置。
【請求項４】
前記スイッチは前記連接棒に配設された、請求項２または３に記載のレーザプリンタ装置。
【請求項５】
前記弾性体はバネである、請求項２〜４のいずれかに記載のレーザプリンタ装置。
【発明の詳細な説明】
【技術分野】
【０００１】
本発明はレーザプリンタ装置に関し、特に、フロントドアとリアドアを備えたレーザプリンタ装置に関するものである。
【背景技術】
【０００２】
従来のレーザプリンタ装置１０１には、図１０および図１１に示すように、その前面に紙詰まりやトナーの交換等のメンテナンスのための開閉可能なフロントドア１０２が設けられている。一方、レーザプリンタ装置１０１の後面には、フロントドア１０２と対向するようにリアドア１０４が設けられている。そのリアドア１０４の内側には、トレー１０３に収容された用紙（図示せず）を矢印に沿って印字ユニット１０８へ送り込むための紙送りガイド１０４ｂが内側に形成されている。
【０００３】
レーザプリンタ装置１０１では、フロントドア１０２を閉めることでトナーカートリッジ（図示せず）が所定の位置に収まるよう設定されている。そのため、フロントドア１０２が開いている状態でレーザプリンタ装置が動作すると、トナーカートリッジが所定の位置に収まっていない状態となって、レーザプリンタ装置１０１の内部でトナーが漏れてしまい、印字不良が発生することがある。
【０００４】
一方、リアドア１０４が開いている状態でレーザプリンタ装置が動作すると、トレー１０３から排出される用紙が印字ユニット１０８へ向かってガイドされなくなって、用紙のつまりの原因となったり、用紙がレーザプリンタ装置１０１の外へ排出されてしまうことになる。
【０００５】
そのため、レーザプリンタ装置１０１としては、フロントドア１０２とリアドア１０４の双方が閉じられた状態で動作することが求められる。なお、特許文献１〜３では、プリンタ装置として、隣り合う一方の側面部分と他方の側面部分とにそれぞれ設けられたドアが閉じられたのを検知するセンサを備えたプリンタ装置が提案されている。
【特許文献１】特開２００１−１２５３３１号公報
【特許文献２】特開２００２−７２６０１号公報
【特許文献３】特開２００２−１８７３２４号公報
【発明の開示】
【発明が解決しようとする課題】
【０００６】
本発明は、特に、前後に対向するフロントドアとリアドアの少なくとも一方が開いた状態でレーザプリンタ装置が動作するのを防止するための構造を提案するものであり、その目的は、フロントドアとリアドアの双方が確実に閉じられた状態で動作するレーザプリンタ装置を提供することである。
【課題を解決するための手段】
【０００７】
本発明に係るレーザプリンタ装置は、プリンタ本体とフロントドアとリアドアと連接棒とフロント側突出部とリア側突出部とスイッチとバネとを備えている。プリンタ本体は、用紙を収容するためのトレーおよび用紙に印字を行なうための印字ユニットを有する。フロントドアはメンテナンスのためプリンタ本体の前面に設けられている。リアドアは、フロントドアと対向するようにプリンタ本体の後面に設けられ、トレーから排出される用紙を印字ユニットへ送り込むための送りガイドを有する。連接棒は、フロントドアとリアドアとの間に前後にスライド可能に配設されている。フロント側突出部は、フロントドアから連接棒に向かって突出するようにフロントドアに設けられ、連接棒の一端側と当接する。リア側突出部は、リアドアから連接棒に向かって突出するようにリアドアに設けられ、連接棒の他端側と当接する。スイッチは連接棒の一端側に設けられ、連接棒の一端側に位置するフロント側突出部およびリア側突出部の一方が当接することによってオンする。バネは、スイッチが設けられた連接棒の一端側から他端側に向かって連接棒に付勢力を与える。その連接棒およびスイッチは、フロントドアおよびリアドアの少なくともいずれかが開いている状態では、連接棒は連接棒の一端側から他端側に向かって付勢されて、フロント側突出部およびリア側突出部の一方は連接棒の一端側に当接せず、フロントドアおよびリアドアの双方が閉じられることによって、連接棒が連接棒の他端側から一端側に向かってスライドし、フロント側突出部およびリア側突出部の一方が連接棒の一端側に当接してスイッチがオンするよう配設されている。
【０００８】
この構造によれば、フロントドアとリアドアの開閉に伴ってスライドする連接棒とスイッチにより、比較的簡単な構造で、フロントドアおよびリアドアの双方が閉じられた状態で初めてスイッチを確実にオンすることができて、レーザプリンタ装置による印字を確実に行なうことができる。
【０００９】
本発明に係る他のレーザプリンタ装置は、プリンタ本体と第１ドアと第２ドアと連接部材とスイッチと弾性体とを備えている。第１ドアはプリンタ本体に設けられている。第２ドアは、プリンタ本体において第１ドアと対向する位置に設けられている。連接部材は、第１ドアおよび第２ドアとの間に配設されている。スイッチは連接部材の端部、第１ドアおよび第２ドアのいずれか１つに設けられている。弾性体はスイッチが設けられた側からスイッチが設けられていない側に向かって連接部材に付勢力を与える。連接部材およびスイッチは、第１ドアおよび第２ドアの少なくともいずれかが開いている状態では、連接部材は弾性体によってスイッチが設けられた側からスイッチが設けられていない側に向かって付勢されることでスイッチはオンせず、第１ドアおよび第２ドアの双方が閉じられることによって連接部材が第１ドアおよび第２ドアと当接してスイッチがオンするように配設されている。
【００１０】
この構造によれば、第１ドアと第２ドアの開閉に伴ってスライドする連接部材とスイッチにより、比較的簡単な構造で、第１ドアおよび第２ドアの双方が閉じられた状態で初めてスイッチを確実にオンすることができて、レーザプリンタ装置による印字を確実に行なうことができる。
【００１１】
より具体的に、第１ドアとしてはプリンタ装置の前面側に配設されたドアであり、第２ドアとしてはプリンタ本体の後面側に配設されたドアである。
【００１２】
また、スイッチは連接棒に配設されていることが好ましい。さらに、連接部材を付勢する弾性体はバネであることが好ましい。
【発明を実施するための最良の形態】
【００１３】
本発明の実施の形態に係るレーザプリンタ装置について説明する。
レーザプリンタ装置１には、図１および図２に示すように、前面に紙詰まりやトナーの交換等のメンテナンスのための開閉可能なフロントドア２が設けられている。一方、レーザプリンタ装置１の後面には、フロントドア２と対向するようにリアドア４が設けられている。リアドア４の内側には、矢印２１に示すように、トレー３に収容された用紙（図示せず）を印字ユニット８へ送り込むための紙送りガイド４ｂが内側に形成されている。
【００１４】
さらに、図３に示すように、レーザプリンタ装置の内部には、フロントドア２とリアドア４の開閉に応じて前後にスライド可能な連接棒５が配設されている。フロントドア２の内側には、連接棒５に向かって突出し連接棒５の一端側と当接するフロント側突出部２ａが設けられている。一方、リアドア４の内側には、連接棒５に向かって突出し連接棒５の他端側と当接するリア側突出部４ａが設けられている。
【００１５】
連接棒５の一端側には、連接棒５の一端側に位置するフロント側突出部２ａが当接することによってオンするスイッチ７が配設されている。その連接棒５は、バネ６によってスイッチ７が設けられた連接棒５の一端側から他端側に向かって付勢されている。
【００１６】
その連接棒５とスイッチ７は、フロントドア２およびリアドア４の少なくともいずれかが開いている状態では、連接棒５は連接棒５の一端側から他端側に向かって付勢されて、フロント側突出部２ａは連接棒５の一端側に当接しない。そして、フロントドア２およびリアドア４の双方が閉じられることによって、連接棒５が連接棒５の他端側から一端側に向かってスライドし、フロント側突出部２ａが連接棒５の一端側に当接してスイッチ７がオンする。
【００１７】
以下、フロントドア２とリアドア４の開閉の状態と、連接棒５に設けられたスイッチ７のオンオフ動作についてより詳しく説明する。まず、フロントドアとリアドアの双方が開いている状態では、図４に示すように、連接棒５はバネ６によってスイッチ７が配設されたフロント側からリア側へ向かって（紙面に向かって右側）付勢されて、連接棒５のスイッチ７が配設された一端部５ａと他端部５ｂは、所定の位置Ａ、Ｂよりも後側に位置することになる。この所定の位置Ａ，Ｂとは、後述するように、フロントドアとリアドアの双方が閉じられた状態での連接棒５の一端部５ａと他端部５ｂのそれぞれの位置をいう。
【００１８】
次に、リアドアが開いてフロントドアが閉じられた状態では、図５に示すように、連接棒５の両端部５ａ，５ｂは、依然としてバネ６によって所定の位置Ａ，Ｂよりも後方に位置する。そのため、フロントドアが閉じられてフロント側突出部２ａが位置Ａにまで達しても、スイッチ７には当接しない。したがって、この状態ではスイッチ７はオンされないことになる。
【００１９】
フロントドアが閉じられた状態でリアドアが閉じられると、図６に示すように、リアドア４のリア側突出部４ａが連接棒５の他端側に当接し、連接棒５はバネ６の付勢力に逆らってフロント側に矢印に示すようにスライドすることになる。これにより、連接棒７の両端がそれぞれ位置Ａ，Ｂに達してスイッチ７がフロント側突出部２ａに当接し、スイッチ７がオンされることになる。この状態で、レーザプリンタ装置１の動作が可能になる。
【００２０】
一方、フロントドアが開いてリアドアが閉じられた状態では、図７に示すように、リアドア４のリア側突出部４ａが連接棒５の他端側に当接し、連接棒５はバネ６の付勢力に逆らってフロント側に矢印に示すようにスライドすることになる。これにより、連接棒７の両端がそれぞれ位置Ａ，Ｂに達することになるが、フロントドアが開いているためにスイッチ７はオンしない。
【００２１】
リアドアが閉じられた状態でフロントドアが閉じられると、図８に示すように、フロント側突出部２ａがスイッチ７に当接してスイッチ７がオンされることになる。この状態で、レーザプリンタ装置１の動作が可能になる。
【００２２】
上述したレーザプリンタ装置では、図９に示すように、フロントドア２とリアドア４の双方が閉じられた状態で連接棒５の両端５ａ，５ｂが所定の位置Ａ，Ｂにそれぞれ位置することでフロント側突出部２ａがスイッチ７に当接してスイッチ７がオンされる。一方、フロントドア２およびリアドア４の少なくともいずれかが開いている状態では、連接棒５はバネ６によって所定の方向に付勢されて、スイッチがオンしないように連接棒５が配設されている。
【００２３】
これにより、比較的簡単な構造で、フロントドア２およびリアドア４の双方が閉じられた状態で初めてスイッチを確実にオンすることができて、レーザプリンタ装置１による印字を確実に行なうことができる。
【００２４】
なお、上述したレーザプリンタ装置１では、連接棒５のフロント側の一端側に配設する場合を例に挙げて説明したが、リア側の他端側に配設してもよい。また、スイッチ７を連接棒５に配設せずにフロント側突出部２ａまたはリア側突出部４ａに配設してもよい。
【００２５】
また、弾性体としてバネ６を例に挙げて説明したが、連接棒５を所定の向きに付勢することができればバネに限られない。
【００２６】
なお、今回開示された実施の形態はすべての点で例示であって制限的なものではないと考えられるべきである。本発明は上記で説明した範囲ではなく、特許請求の範囲によって示され、特許請求の範囲と均等の意味および範囲でのすべての変更が含まれることが意図される。
【図面の簡単な説明】
【００２７】
【図１】本発明の実施の形態に係るレーザプリンタ装置の斜視図である。
【図２】同実施の形態において、図１に示すレーザプリンタ装置における印字動作に伴う用紙の動きを示す側面図である。
【図３】同実施の形態において、図１に示すレーザプリンタ装置におけるフロントドアとリアドの動きを示す側面図である。
【図４】同実施の形態において、フロントドアおよびリアドの動きと連接棒の位置関係を説明するための第１の図である。
【図５】同実施の形態において、フロントドアおよびリアドの動きと連接棒の位置関係を説明するための第２の図である。
【図６】同実施の形態において、フロントドアおよびリアドの動きと連接棒の位置関係を説明するための第３の図である。
【図７】同実施の形態において、フロントドアおよびリアドの動きと連接棒の位置関係を説明するための第４の図である。
【図８】同実施の形態において、フロントドアおよびリアドの動きと連接棒の位置関係を説明するための第５の図である。
【図９】同実施の形態において、フロントドアおよびリアドの動きと連接棒の位置関係を説明するための第６の図である。
【図１０】従来のレーザプリンタ装置の斜視図である。
【図１１】図１０に示すレーザプリンタ装置における印字動作に伴う用紙の動きを示す側面図である。
【符号の説明】
【００２８】
１  レーザプリンタ装置、２  フロントドア、２ａ  フロント側突出部、３  トレー、４  リアドア、４ａ  リア側突出部、４ｂ  紙送りガイド、５  連接棒、６  バネ、７  スイッチ、８  印字ユニット。
【図１】
2006003551.tif 000003
【図２】
2006003551.tif 000004
【図３】
2006003551.tif 000005
【図４】
2006003551.tif 000006
【図５】
2006003551.tif 000007
【図６】
2006003551.tif 000008
【図７】
2006003551.tif 000009
【図８】
2006003551.tif 000010
【図９】
2006003551.tif 000011
【図１０】
2006003551.tif 000012
【図１１】
2006003551.tif 000013